(57)【要約】【課題】本発明は、作業の手間や労力を削減することが出来る合流ますおよび該合流ますを使用した排水システムを提供することを課題とする。【解決手段】円筒状ます本体４の前後から主流管接続部５，６を差出し、側面から合流管接続部７を差出し、該円筒状ます本体４の上下には主流凹路１１と合流凹路１２とを形成したインバート部を裏面に設けた対称形の蓋９をそれぞれ被着した合流ます１を提供する。また、建物内の一の排水設備から差出され建物外部の外部排水管に連絡する排水主管と、建物内の他の排水設備から差出される排水枝管との合流点に上記の合流ます１を配置した排水システムを提供する。【選択図】    図１
2005200916.tif 000002
【特許請求の範囲】
【請求項１】
円筒状ます本体の前後から主流管接続部を差出し、側面から合流管接続部を差出し、該円筒状ます本体の上下には主流凹路と合流凹路とを形成したインバート部を裏面に設けた対称形の蓋をそれぞれ被着したことを特徴とする合流ます。
【請求項２】
建物内の一の排水設備から差出され建物外部の外部排水管に連絡する排水主管と、建物内の他の排水設備から差出される排水枝管との合流点に請求項１に記載の合流ますを配置したことを特徴とする排水システム。
【請求項３】
該排水設備にはトイレおよび／または台所が含まれている請求項２に記載の排水システム。
【発明の詳細な説明】
【技術分野】
【０００１】
本発明は合流ますおよび該合流ますを使用した排水システムに関する。
【背景技術】
【０００２】
従来、上下面に接続口部を設け、前後および側方に受口を差出した継手体において、下面側の接続口部に蓋体を嵌着し、上面側の接続口部に掃除口管を接続する埋設用排水管の管継手が提供されている。
そして、排水本管と排水枝管との合流部において該管継手を使用する場合には、排水枝管の合流方向に応じて、該管継手の上下を反転させる（特許文献１参照）。
【０００３】
【特許文献１】実公昭６３−１１４３７号公報（第１−２頁、第３図）
【発明の開示】
【発明が解決しようとする課題】
【０００４】
しかしながら上記従来の管継手では、配管作業の現場において、排水枝管の合流方向に応じて該管継手の上下を決定し、該管継手の下面側となる接続口部に蓋体を取付けるため、該蓋体の取付作業に手間や労力を要するという問題があった。
【課題を解決するための手段】
【０００５】
本発明は上記従来の課題を解決するための手段として、円筒状ます本体(4) の前後から主流管接続部(5,6) を差出し、側面から合流管接続部(7) を差出し、該円筒状ます本体(4) の上下には主流凹路(11)と合流凹路(12)とを形成したインバート部(13)を裏面に設けた対称形の蓋(9) をそれぞれ被着した合流ます(1) を提供するものである。
また本発明では、建物内の一の排水設備(19)から差出され建物外部の外部排水管(23)に連絡する排水主管(20)と、建物内の他の排水設備(19)から差出される排水枝管(21)との合流点に上記の合流ます(1) を配置した排水システム(18)が提供される。
該排水設備(19)にはトイレおよび／または台所が含まれていることが望ましい。
【発明の効果】
【０００６】
本発明の合流ます(1) および排水システム(18)では、排水枝管(21)の合流方向に応じて該合流ます(1) の上下を決定して反転させる場合に、蓋(9) を円筒状ます本体(4) に被着したままの状態で該合流ます(1) を上下反転させればよいため、作業の手間や労力を削減することが出来る。この場合、上側の蓋(9) は点検用掃除用の蓋として使用することが出来、かつ、下側の蓋(9) はインバート部(13)として使用することが出来る。そして、該下側の蓋(9) の裏面には主流凹路(11)と合流凹路(12)とを形成したインバート部(13)が設けられているので、該合流ます(1) 内における主流と合流の排水が該インバート部(13)の主流凹路(11)と合流凹路(12)によってガイドされ、該主流と合流の排水の流れが非常に円滑になる。
【発明を実施するための最良の形態】
【０００７】
本発明を図１〜図４に示す一実施例によって説明する。
図１〜図３に示すように、合流ます(1) は、内部に主流路(2) と合流流路(3) を有する円筒状ます本体(4) と、該円筒状ます本体(4) の前後から差出されている上流側の主流管接続部(5) および下流側の主流管接続部(6) と、該円筒状ます本体(4) の側面から約４５°の角度で差出されている合流管接続部(7) と、該円筒状ます本体(4) の上面と下面に設けられた蓋取付口(8) にそれぞれ嵌着されている蓋(9) とからなる。
なお本実施例では、該合流管接続部(7) の外周面にはコルゲート管を接続するための袋ナット固定用ねじ部(25)が形成されており、該合流管接続部(7) は塩ビ平滑管の接着受口とコルゲート管の接続受口を兼用している。
【０００８】
該蓋(9) の表面には把手(10)が一体的に形成されており、また、該蓋(9) の裏面には、円筒状ます本体(4) の主流路(2) と合流流路(3) とにそれぞれ対応した主流凹路(11)と合流凹路(12)とを形成したインバート部(13)が設けられており、上側の蓋(9) の裏面形状と下側の蓋(9) の裏面形状とは互いに対称形とされている。
【０００９】
更に、該蓋(9) の周縁部には複数個の係止片(14)が突設されており、該円筒状ます本体(4) の蓋取付口(8) の周縁部には複数個の係止切欠部(15)が設けられており、該蓋(9) の係止片(14)を該蓋取付口(8) の係止切欠部(15)に嵌合させることによって、該蓋(9) が該円筒状ます本体(4) から不意に外れることが防止されている。そして、該蓋(9) が所定方向を向くように、図１で示す三箇所の係止片(14)は異なる間隔（例えば中心角α＝１１５°、β＝１２０°、γ＝１２５°）となるように設置されており、それによって該蓋(9) の取付位置を決定している。また、上下の蓋(9) の係止片(14)の形状は、上下対称形の側面視Ｌ字形および側面視逆Ｌ字形とされており、上下の蓋(9) が上下逆に取付けられるのを防止している。
また更に、該蓋(9) の外周面に凹設された環状溝(16)にはＯリング(17)が嵌着されており、該Ｏリング(17)によって該蓋(9) と該円筒状ます本体(4) との間がシールされている。
【００１０】
図４に示すように、上記合流ます(1) を使用した建物の排水システム(18)は、建物内のトイレや台所などの排水設備(19)と、一の排水設備(19)から差出されている排水主管(20)と、他の排水設備(19)から差出されている排水枝管(21)と、該排水主管(20)と該排水枝管(21)との合流点に配置されている上記合流ます(1) とからなり、該排水主管(20)の下流側は建物外部において排水ます(22)に接続されており、該排水ます(22)からは建物外部の外部排水管(23)が差出されており、該外部排水管(23)は公共ます(24)に連絡している。
【００１１】
該排水システム(18)の排水主管(20)と排水枝管(21)との合流点において、上記合流ます(1) を使用する場合には、予め合流ます(1) の上下の蓋取付口(8) にそれぞれ蓋(9) を取付け、排水枝管(21)の合流方向（排水主管(20)に対して右側もしくは左側からの合流）に応じて該合流ます(1) の上下を決定して上下反転させる。そして、合流ます(1) の上流側の主流管接続部(5) に上流側の排水主管(20)（一の排水設備(19)からの排水主管(20)）を接続し、合流ます(1) の下流側の主流管接続部(6) に下流側の排水主管(20)（屋外の排水ます(22)への排水主管(20)）を接続し、合流ます(1) の合流管接続部(7) に排水枝管(21)を接続する。
【００１２】
上記のような合流ます(1) では、排水枝管(21)の合流方向に応じて該合流ます(1) の上下を決定して反転させる場合に、合流ます(1) の蓋(9) を円筒状ます本体(4) に被着したままの状態で該合流ます(1) を上下反転させればよいため、配管作業の手間や労力を削減することが出来る。
また、上記の合流ます(1) では、上側の蓋(9) を点検用掃除用の蓋として使用することが出来、かつ、下側の蓋(9) をインバート部(13)として使用することが出来る。すなわち、該下側の蓋(9) の裏面には主流凹路(11)と合流凹路(12)とを形成したインバート部(13)が設けられているため、該合流ます(1) 内における主流と合流の排水が該インバート部(13)の主流凹路(11)と合流凹路(12)によってガイドされ、該主流と合流の排水の流れを非常に円滑なものとすることが可能となる。
更に、上記の合流ます(1) では、円筒状ます本体(4) の蓋取付口(8) 内に収納された状態に蓋(9) を取付けることが出来るため、円筒状ます本体(4) の上面および下面からの突起部分がなく、上下方向（高さ方向）の省スペース化が可能となる。
【００１３】
また、上記合流ます(1) を使用した排水システム(18)では、排水枝管(21)の合流方向に応じて該合流ます(1) の上下を決定して反転させる場合に、合流ます(1) の蓋(9) を円筒状ます本体(4) に被着したままの状態で該合流ます(1) を上下反転させればよいため、排水システム(18)の構築作業に要する手間や労力を削減することが出来る。
更に、トイレや台所の排水も排水主管(20)に合流するので、屋外の排水ます(22)や配管材料を削減することが出来る。
【００１４】
以上、本発明の実施の形態を実施例により説明したが、本発明の範囲はこれらに限定されるものではなく、請求項に記載された範囲内において目的に応じて変更・変形することが可能である。
例えば、合流ます(1) の合流管接続部(7) は、円筒状ます本体(4) の側面から約９０°の角度で差出されていてもよい。
また、排水を更に円滑に通水させるように、該排水システム(18)に通気管または通気弁を設置してもよい。
【産業上の利用可能性】
【００１５】
本発明は、作業の手間や労力を削減することが出来る合流ますおよび該合流ますを使用した排水システムとして、産業上利用することが出来る。
【図面の簡単な説明】
【００１６】
【図１】合流ますの平面図である。
【図２】合流ますの分解側面図である。
【図３】合流ますの側断面図である。
【図４】排水システムの説明図である。
【符号の説明】
【００１７】
1  合流ます
4  円筒状ます本体
5  上流側の主流管接続部
6  下流側の主流管接続部
7  合流管接続部
9  蓋
11  主流凹路
12  合流凹路
13  インバート部
18  排水システム
19  排水設備（トイレや台所等）
20  排水主管
21  排水枝管
23  外部排水管
【図１】
2005200916.tif 000003
【図２】
2005200916.tif 000004
【図３】
2005200916.tif 000005
【図４】
2005200916.tif 000006